(57)【要約】【課題】単純な構想でカードにダメージを与える恐れのない、クレジットカード等の保護用ケースを提案する。【解決手段】保護すべきカード（２）を収容する空間が間に設けられた二つの平行な壁を含む平らなカバーの形を呈する、少なくとも二枚のカード（２）または類似物用保護ケースが、二つの平行な壁の一つをそれぞれ含む少なくとも二つの部分（３、４）を含み、また少なくとも二つの部分（３、４）の一方がもう一方の部分にスライドするように組み立てられ、カード（２）を収容して留めておくように成型され、そのため一枚のカード（２）が中にスライドすることができる収容部（３２）を有し、収容部（３２）が一方ではカードを中に保持することを可能にする、カード（２）の可逆的締め手段を側面に含み、また他方ではカード（２）が入る部分（３、４）をスライドさせた後にカード（２）をスライドさせることによって取り出すことができる開口部を有する。【選択図】図１
2015507996.tif 000002
【特許請求の範囲】
【請求項１】
クレジットカードまたは類似物の保護用ケースであって、二つの平行な壁を含む、平らなカバーの形を呈しており、該二つの平行な壁の間に、保護すべきカード（２）を収容することを目的とした空間が設けられ、また前記カード（２）の挿入または取出しを可能にする開口部（１０）を一端に備えているものであり、また該保護用ケースは前記二つの平行な壁の一つをそれぞれ含む少なくとも二つの部分（３、４、５）を含むこと、また前記少なくとも二つの部分（３、４、５）の一方がもう一方の部分上でスライドするように組み立てられること、前記カード（２）を収容して留めておくように成型され、そのため一枚のカード（２）が中にスライドすることができる収容部（３２、４２、５２）を有し、前記収容部（３２、４２、５２）が一方では前記カードを中に保持することを可能にする前記カード（２）の可逆的締め手段を側面に含み、また他方では前記カード（２）が入る前記部分（３、４、５）をスライドさせた後に前記カード（２）をスライドさせることによって取り出すことができる開口部を有していることを特徴とする、クレジットカードまたは類似物の保護用ケース。
【請求項２】
もう一方の部分上でスライドするように組み立てられる部分が、該部分に入れられる一枚のカードが他方の部分と接触できないように成型されており、またこのため、前記カードを入れることを目的とした収容部が、一方では前記カード（２）を多少の公差を伴って収容可能な横寸法を呈し、他方では開口部（１０）を備える前記端の辺に配置される縁に対して直角な二つの縁に、前記カード（２）を留めてかつスライドを可能にする、前記カード（２）の縁（２３）を覆い隠すことができる張出し部分（３３、４３、５３）を有するものであり、該張出し部分は前記カード（２）が有するエンボス加工に由来する凹凸（２２）の厚みを明らかに超える厚みをもつものであることを特徴とする、請求項１に記載の保護ケース。
【請求項３】
少なくとも二つの（３、４、５）のうちのそれぞれが、一枚のカード（２）が他の部分（３、４、５）または別のカード（２）と接触することができないように、一枚のカードを収容して留めておくように成型されており、またそのため前記少なくとも二つの部分（３、４、５）がそれぞれ、他の部分と向かい合う側に、前記開口部の側に開いた収容部（３２、４２、５２）を有し、該収容部（３２、４２、５２）は一枚のカード（２）を多少の公差を伴って収容することが可能な横寸法を呈する一方で、開口部を備える前記端の辺に配置される縁に対して直角な二つの縁に、前記カード（２）を留めてかつスライドを可能にする、前記カード（２）の縁（２３）を覆い隠すことができる張出し部分（３３、４３、５３）を有し、該張出し部分は、前記カード（２）が有するエンボス加工に由来する凹凸（２２）の厚みを明らかに超える厚みをもつものであり、またさらに該収容部は前記カードを前記収容部の中に保持することを可能にする前記カードの可逆的締め手段を有していることを特徴とする、請求項２に記載の保護用ケース。
【請求項４】
三つの部分（３、５）、すなわち中央の部分（５）と、その上でスライドすることができる、それぞれ一枚のカード（２）を入れるように成型されている残りの二つの部分（３）それぞれを有することを特徴とする、請求項３に記載の保護用ケース。
【請求項５】
中央の部分（５）が、そのそれぞれの面上に、それぞれ一枚のカード（２）を受けることができる、収容部（５２）を有することを特徴とする、請求項４に記載の保護用ケース。
【請求項６】
一つの部分（３、４、５）のもう一方に対するスライドが、滑り溝による連結を介して得られ、部分のうちの一方が、もう一方の部分が有する二つの溝（４１、５１）に一つずつはめ込まれる二つのレール（３１）または類似物を有することを特徴とする、請求項１から５のいずれか一つに記載の保護用ケース。
【請求項７】
一つの部分（３、４）のもう一方に対するスライドが、滑り溝による連結を介して得られ、部分のうちの一つが二つの溝（４１）を有し、該二つの溝がそれぞれもう一方の部分が有する二つの溝（３６）の一つと向かい合わせて配置され、玉（Ｂ）やロール（Ａ）のような中間連結部材が、前記二つの部分（３、４）の間の向かい合った二つの溝（３６、４１）の中にはめ込まれていることを特徴とする、請求項１から５のいずれか一つに記載の保護用ケース。
【請求項８】
二つの部分のうちの一つが、もう一方の部分に作られる溝の中にはめ込まれることを目的とした縦にスライドできるリブを側面に有し、前記溝にはそれぞれ、リブの中に作られる縦の細長い開口部の中にはめ込むことができる軸または類似物が伸びていることを特徴とする、請求項１から５のいずれか一つに記載の保護用ケース。
【請求項９】
一つの部分（３、４、５）の別の部分に対するさまざまな位置のインデックス付け手段を有することを特徴とする、請求項１から８のいずれか一つに記載の保護用ケース。
【請求項１０】
インデックス付け手段が、磁気手段から成ることを特徴とする、請求項９に記載の保護用ケース。
【請求項１１】
一つの部分（３、４、５）の別の部分に対するスライド補助手段（Ｒ）を有することを特徴とする、請求項１から１０のいずれか一つに記載の保護用ケース。
【請求項１２】
補助手段がばね（Ｒ）から成ることができ、該ばねが、畳まれた状態の可逆的固定手段と連動して、広がる方向かまたは畳まれる方向にスライドを助長するように配置されていることを特徴とする、請求項１１に記載の保護用ケース。
【請求項１３】
カード（２）の可動式排出手段（６）を有しており、その可動性は一つの部分（３、４、５）のもう一方に対するスライドによって制御されるものであることを特徴とする、請求項１から１２のいずれか一つに記載の保護用ケース。
【請求項１４】
一枚のカード（２）の収容部（３２、４２、５２）が取出し用の側と反対の側にレバー（６）を有するものであり、レバーは前記カード（２）が寄りかかるものであり、前記収容部（３２、４２、５２）を含む部分（３、４、５）に回転式に取り付けられ、またスライドする際に他の部分によって回転させられることができるものであることを特徴とする、請求項１３に記載の保護用ケース。
【請求項１５】
保護すべきカード（２）を収容することを目的とした空間が間に設けられている二つの平行な壁（３、４）が、電波の通過を妨げることができる障壁を前記壁（３、４）のそれぞれの部位に形成する材料を備えつけるか、または該材料から成ることを特徴とする、請求項１から１４のいずれか一つに記載の保護用ケース。
【請求項１６】
二つの障壁を連結することができる接触手段を有し、該接触手段は機能しない状態にすることができるものであることを特徴とする、請求項１５に記載の保護用ケース。
【発明の詳細な説明】
【技術分野】
【０００１】
本発明は、一枚または複数のクレジットカードまたは類似物の保護用ケースを目的としている。
【背景技術】
【０００２】
クレジットカードまたは類似物は、エンボス加工によって実現される掲示を呈し、また一般的に磁気トラックおよび／または電子チップを有する、標準サイズすなわち８５．６０×５３．９８ｍｍのプラスチック材料の板から成る。
【０００３】
その相対的な柔らかさと磁気トラックおよび／または電子チップの存在により、カードがダメージを受けずに実用性を保持していられるように、保護された箇所にカードを保管することが望ましい。
【０００４】
こうして通常は、クレジットカードまたは類似物は名刺入れまたは財布の中に保管され、そのために名刺入れまたは財布を運ぶ必要性が生じるが、これは常に可能なことではない。
【０００５】
この不都合を克服するために、クレジットカードまたは類似物の保護用の硬いケースが提案されたが、もっとも単純なものは、保護すべきカードを収容するための空間が間に設けられた二つの平行な壁を含む、一端に前記カードの挿入または取出しを可能にする開口部を備えた平らなカバーから成り、前記壁のうちの一つは、使用者が前記カードを指で押し出してそこから取り出すことを実現可能とする穴を有している。このようなケースは、例えば欧州特許出願公開第０６７７２５７号明細書の中に記載されている。
【０００６】
同様に、カードを入れる部分がもう一方の部分の中で引き出しのようにスライドする、二つの部分を含むケースも既知である。このようなケースは、例えば仏国特許発明第２８９３２３３号明細書の中に記載されている。
【０００７】
提案されるケースがいかなるものであっても、ケースは、ケースに入っているカードが物理的に無傷であることに対する問題を呈する。すなわち、カードが欧州特許出願公開第０６７７２５７号明細書のケースによるケースの中にあっても、仏国特許発明第２８９３２３３号明細書のケースによるケースの中にあっても、カードをその収容部に留めておくために、カードの厚み方向に対し、実際にはエンボス加工に由来するその凹凸に寄りかかりながら圧力を掛ける必要があるが、これは不都合なことに時が経つとカードにダメージを与える危険性を伴う。仏国特許発明第２８９３２３３号明細書においては、この圧力はカードを入れる引き出しの横方向の起伏によって掛けられ、一方欧州特許出願公開第０６７７２５７号明細書においては、内側の縦リブによって掛けられる。
【０００８】
クレジットカードまたは類似物の保護用ケースの別の不都合は、二枚以上のカードを所有することが頻繁にあるにもかかわらず、該保護ケースがただ一枚のカードの保管用に準備されていることである。前述の文献は、二枚以上のカードを保管可能にする適応例としては準備されていないのである。
【０００９】
複数のカードを保管することができるケースは存在するが、それらは各々、中にカードを積み重ねる収容部を有した収納ケースから成っており、そのためどれか一枚のカードを取り出すのに困難が生じる可能性がある。
【００１０】
この不都合を克服するために、二枚以上のカードを入れることができるケースが提案されたが、これは例えば国際公開第９６／１８３２０号および欧州特許出願公開第０２８７５３２号明細書に記載されているケースの場合である。これらのケースはそれぞれ、中にカードを積み重ねる収容部を有した収納ケースから成っている。
【００１１】
国際公開第９６／１８３２０号においてケースは二枚のカードを収容することが可能であり、その取出しは欧州特許出願公開第０６７７２５７号明細書において想定されているものと類似の方法により、ケースのそれぞれの壁に作られた穴を介して手で行われる。
【００１２】
ケースの目的は主として保護であり、ケースが単数または複数の穴を有することにより、その機能を完全には満たすことができなくなる。
【００１３】
欧州特許出願公開第０２８７５３２号明細書において、中に複数のカードが積み重ねられるケースが提案されており、該ケースはたった一度の動きで全てのカードがずらされて出てくるように、カードと接触することを目的とした部分が段状になっており、外側から操作可能である可動レバーをその底部のところに有している。これについてもカードが互いに接触しているため、カードはダメージを受ける恐れがある。さらに、中間にあるカードを取出した後にそのカードを元の場所に戻すには、その保管場所に沿っている複数のカードを離す必要があるため、あまり容易ではない。
【００１４】
米国特許出願公開第２００５／２２４１４９号明細書によって、カードのレールとして使用されることを目的とした平行な折り返し縁が設けられる側面の縁の内側で、スライドによって組み合わされる二つの部分から成る収納ケースを含むカードフィーダーもまた公知であり、カードは押しボタンの操作の後にそこからスライドによって取り出すことができる。この装置はケースというよりはむしろフィーダーから成っており、とりわけカードを取り出す構造が原因で非常に容積が大きくなる。
【発明の概要】
【発明が解決しようとする課題】
【００１５】
本発明は、前述のさまざまな不都合を解決することを可能にする、とりわけ単純な構想でありかつダメージを与える恐れのない、一枚または複数のクレジットカードまたは類似物の保護用ケースを提案することを目的とする。
【課題を解決するための手段】
【００１６】
本発明による一枚または複数のクレジットカードまたは類似物の保護用ケースは、二つの平行な壁を含む、平らなカバーの形を呈しており、該二つの平行な壁の間に、保護すべきカードを収容することを目的とした空間が設けられ、また前記カードの挿入または取出しを可能にする開口部を一端に備えているものであり、また該保護用ケースは主として、前記二つの平行な壁の一つをそれぞれ含む少なくとも二つの部分を含むこと、また前記少なくとも二つの部分の一方がもう一方の部分上でスライドするように組み立てられること、またカードを収容して留めておくように成型され、そのため一枚のカードが中にスライドすることができる収容部を有し、前記収容部が一方では前記カードを中に保持することを可能にする前記カードの可逆的締め手段を側面に含み、また他方では前記カードが入る前記部分をスライドさせた後に前記カードをスライドさせることによって取り出すことができる開口部を有していることを特徴とする。
【００１７】
本発明による保護用ケースの追加的特徴によると、もう一方の部分上でスライドするように組み立てられる部分は、該部分に入れられる一枚のカードが他方の部分と接触できないように成型されており、またこのため、前記カードを入れることを目的とした収容部は、一方では前記カードを多少の公差を伴って収容可能な横寸法を呈し、他方では開口部を備える前記端の辺に配置される縁に対して直角な二つの縁に、前記カードを留めてかつスライドを可能にする、前記カードの縁を覆い隠すことができる張出し部分を有し、該張出し部分は、前記カードが有するエンボス加工に由来する凹凸の厚みを明らかに超える厚みをもつものである。
【００１８】
ケースの中で、カードが可逆的締め手段によって動かないように収容部の中に置かれ完全に保護されること、またカードがケースの製造材料と接触している部分は、収容部の底と接触しているその後面、該張出し部分の下部面と接触している前面の二つの側面縁だけであり、したがってダメージを受ける危険性がないことが理解されるであろう。
【００１９】
実際には、使用者はケースの二つの部分を互いにスライドさせることによりカードに接触することが可能になり、そうして使用者は可逆的締手段の影響に逆らいながらカードを収容部から取り出すために収容部の中をスライドさせることができる。
【００２０】
本発明による保護用ケースの追加的特徴によると、少なくとも二つの部分はそれぞれ、一枚のカードが他の部分または別のカードと接触するようになることができないように、一枚のカードを収容して留めておくように成型されており、またそのため、前記少なくとも二つの部分のうちのそれぞれは、他の部分と向かい合う側に収容部を有し、該収容部は前記開口部の方向に開いており、一枚のカードを多少の公差を伴って収容することが可能な横寸法を呈する一方で、前記カードを前記収容部の中に保持することを可能にする、前記カードの可逆的締手段を側面に有する。
【００２１】
実際にはケースが二枚のカードを入れる用途に充てられる時、使用者はケースの二つの部分を互いにスライドさせることにより、二枚のカードに同時に、一方の側から一枚のカードに、そしてもう一方の側からもう一枚のカードに接触することが可能になり、そうして所望のカードをその収容部の外にスライドさせることを選択することができる。
【００２２】
本発明による保護用ケースの追加的特徴によると、保護ケースは三つの部分、すなわち中央の部分とその上でスライドすることができる残りの二つの部分それぞれを有しており、二つの部分はそれぞれ一枚のカードを入れるように成型されている。
【００２３】
本発明による保護用ケースの別の追加的特徴によると、その他の二つの部分が上でスライドする中央の部分は、そのそれぞれの面が一枚のカードを収容可能なように成型される。
【００２４】
本発明による保護ケースの追加的特徴によると、一つの部分のもう一方に対するスライドは滑り溝による連結を介して得られ、部分のうちの一方は、もう一方の部分が有する二つの溝に一つずつはめ込まれる二つのレールまたは類似物を有する。
【００２５】
レールまたは類似物は、作り付けることもできるし、また別付けすることもできる。
【００２６】
本発明による保護用ケースの別の追加的特徴によると、一つの部分のもう一方に対するスライドは滑り溝による連結を介して得られ、部分のうちの一つは二つの溝を有し、該二つの溝はそれぞれもう一方の部分が有する二つの溝の一つと向かい合わせて配置され、玉やロールのような中間連結部材が、前記二つの部分の間の向かい合った二つの溝の中にはめ込まれている。
【００２７】
前述の滑り溝による連結を二つ組み合わせること、すなわち玉やロールのついた滑り溝による連結と組み合わされる、レールと溝の連携が可能であることが注目されるが、玉やロールのついた滑り溝による連結は、その時主として、二つの部分の間の隔たりを確保する役目を果たしてカードを保護する。
【００２８】
本発明による保護用ケースの別の追加的特徴によると、二つの部分のうちの一つは、もう一方の部分に作られる溝の中にはめ込まれることを目的とした縦方向にスライドできるリブを側面に有し、前記溝には、リブの中に作られる縦方向の細長い開口部の中にはめ込むことができる軸または類似物がそれぞれ伸びている。
【００２９】
本発明による保護用ケースの別の追加的特徴によると、保護用ケースは一つの部分の別の部分に対する、さまざまな位置のインデックス付け手段を有する。
【００３０】
これらのインデックス付け手段は、磁気手段から成ることができる。
【００３１】
本発明による保護用ケースの別の追加的特徴によると、保護用ケースは一つの部分の別の部分に対する、スライド補助手段を有する。
【００３２】
そのような補助手段はばねから成ることができ、該ばねは、不必要なときに開くことを回避するために必要とされる、畳まれた状態の可逆的固定手段と連動して、広がる方向かまたは畳まれる方向にスライドを助長するように配置されている。
【００３３】
本発明による保護用ケースの別の追加的特徴によると、保護用ケースは可動式のカード排出手段を有し、その可動性は一つの部分のもう一方に対するスライドによって制御される。
【００３４】
本発明による保護用ケースの別の追加的特徴によると、一枚のカードの収容部は取出し用の側と反対の側にレバーを有するが、該レバーは前記カードが寄りかかるものであり、前記収容部を含む部分に回転式に取り付けられ、またスライドする際に他の部分によって回転させられることができるものである。
【００３５】
本発明による保護用ケースは、さまざまな材料、プラスチック材料でも金属でも、製作可能である。とはいえ、何よりもまず金属で製作可能なように構想されているため、複数のカードを入れることを目的としている場合でも、厚みを非常に薄くすることができる。
【００３６】
金属で製作される場合、本発明によるケースが好ましくは金属同士が擦れあう音を緩和することができる、さまざまな減衰手段またはパッドを備えることが注目されよう。
【００３７】
本発明による保護用ケースの別の追加的特徴によると、保護すべきカードを収容することを目的とした空間が間に設けられている二つの平行な壁は、電波の通過を妨げることができる障壁を前記壁のそれぞれの部位に形成する材料を備えつけるか、または該材料から成る。
【００３８】
本発明による保護用ケースの別の追加的特徴によると、保護用ケースは二つの障壁を連結することができる接触手段を有し、該接触手段は機能しない状態にすることができる。
【００３９】
本発明による保護用ケースの利点および特徴は、複数の非限定的実施形態を示す付属の図面を参照する後続の説明により、より明確になるであろう。
【図面の簡単な説明】
【００４０】
【図１】本発明による保護用ケースの、概略分解斜視図を示している。
【図２】同じ保護用ケースの概略斜視図を示している。
【図３】本発明による同じ保護用ケースの部分断面図を示している。
【図４ａ】本発明による保護用ケースの、構成変形形態における、部分断面図を示している。
【図４ｂ】本発明による保護用ケースの、構成変形形態における、部分断面図を示している。
【図４ｃ】本発明による保護用ケースの、構成変形形態における、部分断面図を示している。
【図４ｄ】本発明による保護用ケースの、構成変形形態における、部分断面図を示している。
【図４ｅ】本発明による保護用ケースの、構成変形形態における、部分断面図を示している。
【図４ｆ】本発明による保護用ケースの、構成変形形態における、部分断面図を示している。
【図４ｇ】本発明による保護用ケースの、構成変形形態における、部分断面図を示している。
【図４ｈ】本発明による保護用ケースの、構成変形形態における、部分断面図を示している。
【図４ｉ】本発明による保護用ケースの、構成変形形態における、部分断面図を示している。
【図４ｊ】別の構成変形形態の、部分概略分解斜視図を示している。
【図５】図４ａのＸＸ’軸に沿った断面図を示している。
【図６】本発明による同じ保護用ケースの特定実施形態の、概略分解斜視図を示している。
【図７】本発明による保護用ケースの同じ特定実施形態の変形例の、概略分解斜視図を示している。
【図８】本発明による保護用ケースの同じ特定実施形態の別の変形例の、概略分解斜視図を示している。
【発明を実施するための形態】
【００４１】
図１および図２を参照して、クレジットカードまたは類似物２を一枚入れることを目的とした、本発明による保護ケース１を見ることができる。
【００４２】
クレジットカード２が前面２０および後面２１を有すること、また前面２０で可視である、エンボス加工によって実現された掲示が、周囲の縁２３を作り出しながら他より厚い部分２２の形で概略的に示されていることが注目されるであろう。
【００４３】
ケース１は、一辺に開口部１０を、また向かい合った辺に底部１１を有する。ケースは、一般的な平らの形状であり一方が他方に対してスライドするよう協働可能に構想されている二つの部分３および４の接合から成る。
【００４４】
こうして部分３は、図３でもまた可視である折り返し縁３０を三辺に有し、その二つの向かい合う区分はそれぞれ外側にレール３１を備えており、一方部分４は折り返し縁４０を三辺に有し、その二つの向かい合う区分はそれぞれレール３１のうちの一つと協働することを目的とした溝４１を内側に備えている。
【００４５】
折り返し縁３０は、収容部３２の境界を画定するが、該収容部は、カード２を受けることを目的としており、かつ、折り返し縁３０のない第四の辺からカードを取り出すことを可能にするものである。また、折り返し縁３０の向かい合う二つの区分は、折り返し縁の内側方向に、カード２の縁２３上に広がる張出し部分３３を備える。
【００４６】
図３をより詳細に参照すると、折り返し縁３０が、好ましくはカード２の厚みをわずかに超える高さであること、張出し部分３３の厚みは隆起した部分２２の厚みを越え、幅は縁２３の幅より小さいことが確認できる。
【００４７】
実際には、使用者はまず部分４の中の部分３をスライドさせることによりカード２に接触することができ、そのときカードを部分３の外にスライドさせることができる。
【００４８】
部分３の寸法的特徴によりカード２、より詳細にはカードのエンボス加工２２は部分４と接触することは決してないため、エンボス加工に配慮することができる。
【００４９】
有利には、カード２が部分３２から突然スライドすることを回避するために側面の固定手段が準備されるが、該固定手段は、例えば張出し部分の下の、折り返し縁３０の内側面に配置される単数または複数の隆起した部分から成り、カード２を可逆的に十分に固定することを可能にするものである。ケースの製造形態およびケースを製造する材料に応じて、これらの固定手段は鋳造に由来するか、あるいはまた別付けした部品から成ってよい。
【００５０】
同様に、部分３が部分４に対して突然スライドするのを防ぐ手段が準備されていることが注目されるであろう。
【００５１】
今度は図４ａを参照し、本発明による保護用ケースの変形形態、より詳細には該変形形態が二つの部品しか有していないがカード２を二枚保管することを可能にすることを見ることができる。
【００５２】
このために、部分３は、図１、図２、および図３の部分と同一であるが、それに対し、部分４の折り返し縁４０は、第二のカード２を収容可能な収容部４２が収容部３２と向かい合って作り出されるように形成されるが、該収容部４２は、収容部３２と同じ寸法的特徴、すなわちカード２の厚みをわずかに超える奥行きを有しており、エンボス加工２２の厚みを超える張出し部分４３に縁どられている。
【００５３】
二枚のカード２が、互いに接触するようになることがあり得ないこと、したがってカード２がダメージを受ける危険性がないことが確認できる。
【００５４】
図５でもまた理解可能なように、部分４の中に入れられたカード２の取出しを可能にする開口部は、ケース１の、部分３の中に入れられたカード２の取出しを可能にする開口部が実現されている側と反対の側に実現される。このように、部分３と部分４を互いにスライドさせると、二枚のカードに同時に接触することができる。
【００５５】
図面では、カードのスライドがカードの縦方向に沿って実現される場合しか示されていないが、他の方向にスライドが実現されるケースが当然構想可能であることが注目されよう。
【００５６】
今度は図４ｂを参照して、同じようにカード２を二枚保管可能な別の変形形態を見ることができる。
【００５７】
この変形形態によると、三つの部品、すなわち中央の部分５および先に記載したような二つの部分３を有するケースを見ることができる。中央の部分５は二つの部分４が背中合わせに組み合わされたような体裁であり、すなわち中央の部分はその面それぞれの三辺に折り返し縁５０を有しており、その向かい合った二つの区分はそれぞれ内側に、部分３のレール３１のうちの一つと協働することを目的とする溝５１を備えている。
【００５８】
この変形形態において、部分３は、中央の部分５に対して同じ方向または反対方向にスライドすることができる。部分３が異なる二つの方向、つまり直角方向にスライド可能であることすら、想像可能である。
【００５９】
スライドの補助を実現することが可能であることが注目されよう。このように、この図４ｂで、ばねＲの存在を確認することができるが、該ばねは、折り返し縁３０の中に作られる収容部３４の中に閉じ込められて、スライドを補助することを可能にするものであるが、この補助は、必要に応じて開ける際、または好ましくは閉める際に、実現可能である。
【００６０】
図４ａおよび図５で示される、二つの部品しか有さないタイプのケースで、ばねによるスライド補助が実現可能であることもまた注目されるであろう。この場合、単数または複数のばねは閉める際に戻るように機能する一方、部分３および部分４はそれぞれ、収容部４２および収容部３２の中にそれぞれ入れられるカードと協働することを目的とした止め具を有し、したがってスライドの際にはこれらの止め具はカードの上を滑りカードの後ろに位置づけられ、また閉める際には、これらの止め具は単数または複数のばねの影響を受けて、前記カードの取り出しが引き起こされる。
【００６１】
今度は図４ｃを参照し、カード２を四枚保管可能な変形形態を見ることができる。これは、実際は図４ａで示されるバージョンを二倍にしたバージョンであり、中央の部分５は同様に二つの収容部５２を有している。
【００６２】
今度は図４ｄおよび４ｇを参照してただ一枚のカード２を保管可能なケース１を見ることができるが、ここでは部分３が、図４ｄでは玉Ｂを、図４ｇではロールＡを有する空洞３５をレール３１に対して平行に有しており、該玉およびロールはスライドを容易にするために部分４に対して転がることができるものである。
【００６３】
今度は図４ｅおよび４ｆを参照してただ一枚のカード２を保管可能なケース１を見ることができるが、ここではレールが溝３６に替わっている一方、部分４の溝４１との連結は、図４ｅでは玉Ｂによって、また図４ｆではロールＡによって実現されている。
【００６４】
今度は図４ｈおよび４ｉを参照し、部分３の部分４上のスライドシステムに関する変形形態を見ることができる。このように部分３は、部分４の正面にスライド方向に平行な縦の穴３７を有し、該縦の穴のそれぞれの中には、部分４と連動する柱脚４４がはめ込まれている。
【００６５】
図４ｈの変形形態において柱脚４４は、部分３の設置後に穴３７を通ることによって、部分４と連動する一方、図４ｉの変形形態においては、柱脚４４は製造時から部分４と連動しており、最後に穴３７の中にはめ込まれる。
【００６６】
図４ｊを参照して別の製造変形形態を見ることができるが、ここでは部分４が周囲の側面に縦リブ４６を有しており、該縦リブは、部分３の穴すなわち溝３７にはめ込まれるように突き出て、スライドする際に該穴すなわち溝の中で制限を受けながら動くことができるものであり、各リブ４６は細長い開口部４７を有し、該細長い開口部の中に、溝３７に伸びている軸または類似物、好ましくはビスＶがはめ込まれるものである。
【００６７】
有利には、動きを和らげて作動音を抑えるために、溝３７の端に非表示の止め具を備えることができることが注目されるであろう。
【００６８】
一般に、二つの部分３および４が同一であるが非対称の構想であること、すなわち、一方をひっくり返した後に一方を他方に組み合わせることが可能であるように、組立の雄要素と雌要素を同時に有すること、が可能であることが注目されるであろう。
【００６９】
今度は図６を参照して、本発明によるケース１の特定実施形態を見ることができる。
【００７０】
図４ｉの組立と類似しているこの実施形態において、部分３の折り返し縁３０は、向かい合う二つの辺にのみ広がり、ケース１の底部となる第三の辺は、ダボ４５で回転するように取り付けられるレバー６に替わっているが、該ダボは部分４の内側に突き出ている、図上に破線で示されているものであり、レバー６のその一端６１に作られる細長い形の孔６０の中にはめ込まれるものである。レバー６は孔６０のすぐ近くに第二の孔６２を有し、該第二の孔の中には、部分３と連動するダボ３８が位置を占める。
【００７１】
部分４の、部分３上でのスライド移動が、レバー６の回転を引き起こし、その自由端６３が非表示のカード２をケース１の外へ押し出し、孔６０の細長い形がダボ３８の移動を、ダボ４５の軸と非同心的に補うことを可能にすることが理解されよう。カード２の移動の振幅は、レバー６の自由端６３の移動の振幅によって決まり、レバーの自由端の移動は、部分３に対する部分４の移動の振幅と、二つの孔６０と６２の離隔距離とによって決まる。
【００７２】
力の波及により、カード２を十分に外に出すには、部分３に対する部分４のわずかな移動の振幅で十分である。
【００７３】
ばねＲの存在により、カード２を取り出した後に部分３と４が元の位置に戻ることが可能となる。
【００７４】
カード２二枚に適合したこの実施形態の変形例が左右対称で完全に実現可能であり、そのとき部分３は、部分４の二つの部分が上でスライドする中央の部分になることが注目されるであろう。
【００７５】
このような変形例の場合、二つの部分４が直角方向にスライド可能であることもまた注目されるであろう。
【００７６】
今度は図７を参照し、部分３と４の二つだけで構成されているケース１の、カード２の取出しシステムを伴う、カード２を二枚保管可能な変形例を見ることができる。
【００７７】
部分３および部分４は、一方がもう一方の上でスライドするように取り付けられる、非表示のばねによって元の位置に戻るものであるが、収容部３２、および図で可視ではない収容部４２、一端にピボット６４を備えまたピボットのすぐ近くに孔６５を備えたレバー６をそれぞれ含む。
【００７８】
部分３の収容部３２の中に入れられるカードの取出しを目的としたレバー６は、孔６５を介して、部分３から突き出ているダボ３８に取り付けられる一方、そのピボット６４は、部分４の折り返し縁４０の中に作られる可視ではない孔の中に挿入される。
【００７９】
同様に、部分４の収容部４２の中に入れられるカードの取出しを目的としたレバー６は、孔６５を介して、部分４から突き出ている可視ではないダボに取り付けられる一方、そのピボット６４は、部分３の折り返し縁３０の中に作られる孔３９の中に挿入される。
【００８０】
レバー６は、当然ながら一枚のカードの厚みに限定された厚みであり、また収容部３２または４２の中でレバーと連動されるカードが占める空間の中だけで可動である。
【００８１】
部分３と部分４の互いに対するスライドの際に、部分４は、レバー６の孔６５の中にはめ込まれる可視ではないそのダボを介して、孔３９の中にはめ込まれるピボット６４を介して部分３の上でレバーが回転するように導き、その結果可視ではない収容部４２の中に入れられたカードが取り出される。
【００８２】
同時に、部分３は、第二のレバー６の孔６５の中にはめ込まれるそのダボ３８を介して、折り返し縁４０の可視ではない孔の中にはめ込まれるピボット６４を介して部分４の上でレバーが回転するように導き、その結果収容部３２の中に入れられたカードが取り出される。
【００８３】
図６の実施形態についてのように、ピボット６４と孔６５の離隔距離は、カードの取出しについての力の波及レベルを決定する。
【００８４】
今度は図８を参照し、４枚までのカードを保管することが可能な変形例を見ることができる。部分３と４はそれぞれ二重の収容部を有し、二枚のカードが互いに独立して、可視ではない二つの張出し部分３３および４３を介して互いに平行にスライドすることができる一方、レバー６は、二重の収容部の厚みに相当する厚みをもつ近い部分６６と、厚さが半分に減らされた末端の部分６７とを有するように形作られ、それにより近い部分６６と末端の部分６７の二つの部分の接合部に肩６８が作り出される。
【００８５】
部分３と部分４の互いに対するスライドの際に、レバー６がそれぞれ二枚のカードを、一枚は末端の部分６７を介して、もう一枚は肩６８を介して押し出し、その結果カードがずらされて取り出されることが理解されるだろう。
【００８６】
一般に、考慮される実施形態がいかなるものであっても、例えば磁石を介して、部分３の部分４に対するさまざまな位置のインデックス付けが可能であるが、該磁石は二つの部分３および４のさまざまな位置に、所望の動きを助長する方向に応じて配置される。
【００８７】
このように磁石が、部分３および４の端の位置で互いに引きつけ合ってその位置を示すこと、また中間位置で互いに反発し合ってスライドを助長することが想定可能である。
【００８８】
同様に一般に、ケースに留め具を準備することが可能であるが、該留め具は、上下に動くようにおよび／またはスライドするように取り付けられ、部分３と４が互いにスライドして開く際には折り畳むことができるものである。
【００８９】
示される全ての実施形態において、ケース１は、一枚のクレジットカードまたは複数のクレジットカードまたは類似物にダメージを与える危険性なく保管することが可能になる。
【００９０】
本発明にかかる保護ケースは、ケースに入れられる一枚または複数のカードを物理的に保護することばかりでなく、実施形態に応じて、含まれる情報の遠隔読取りから保護することも可能にする。
【００９１】
実際、非接触型クレジットカードの使用はますます拡大しているが、それにはカード所持者の銀行情報の遠隔読取りのような不正行為の危険性の増加が伴っているのである。
【００９２】
有利にはケースは、電波の通過を妨げることができる電磁障壁となり得る材料で、全体または一部を製作することができる。
【００９３】
外側の壁はこのように、金属で製作されるかまたは金属で覆われてもよく、また好ましくは、接触手段は、箱を形成するために前記金属製部分をつなげることを可能にする。
【００９４】
有利には、前述の接触手段は、ケースが閉まっている時に機能しまたケースが開いている時に機能しないように準備されて、ケースから出さずにただケースを開くだけでカードの非接触型機能を利用することが可能となることが注目されるだろう。
【符号の説明】
【００９５】
１    保護ケース
２    カード
２０    前面
２１    後面
２２    エンボス加工
２３    縁
３０、４０    折り返し縁
３１    レール
３２    収容部
３３    張出し部分
３４    収容部
３５    空洞
３６    溝
３８    ダボ
３９    孔
４１    溝
４２    収容部
４３    張出し部分
４４    柱脚
４５    ダボ
４６    縦リブ
４７    開口部
５０    折り返し縁
５１    溝
６    レバー
６０    孔
６１    レバーの一端
６２    孔
６３    レバーの自由端
６４    ピボット
６５    孔
６８    肩
Ａ    ロール
Ｂ    玉
Ｒ    ばね
【先行技術文献】
【特許文献】
【００９６】
【特許文献１】欧州特許出願公開第０６７７２５７号明細書
【特許文献２】仏国特許発明第２８９３２３３号明細書
【特許文献３】国際公開第９６／１８３２０号
【特許文献４】欧州特許出願公開第０２８７５３２号明細書
【特許文献５】米国特許出願公開第２００５／２２４１４９号明細書
【図１】
2015507996.tif 000003
【図２】
2015507996.tif 000004
【図３】
2015507996.tif 000005
【図４ａ】
2015507996.tif 000006
【図４ｂ】
2015507996.tif 000007
【図４ｃ】
2015507996.tif 000008
【図４ｄ】
2015507996.tif 000009
【図４ｅ】
2015507996.tif 000010
【図４ｆ】
2015507996.tif 000011
【図４ｇ】
2015507996.tif 000012
【図４ｈ】
2015507996.tif 000013
【図４ｉ】
2015507996.tif 000014
【図４ｊ】
2015507996.tif 000015
【図５】
2015507996.tif 000016
【図６】
2015507996.tif 000017
【図７】
2015507996.tif 000018
【図８】
2015507996.tif 000019
【国際調査報告】
2015507996.tif 000020
2015507996.tif 000021
2015507996.tif 000022
2015507996.tif 000023
2015507996.tif 000024
2015507996.tif 000025